(57)【要約】【課題】外気の温度条件に拘わらず除湿した空気を冷却して空調空間に供給することのできる空気調和装置を提供する。【解決手段】顕熱交換器１６によって第１の通風路１１ａを流通する空気と第２の通風路１１ｂを流通する空気を熱交換させる前に第２のデシカントロータ１７によって第２の通風路１１ｂを流通する空気に水分を放出させるようにしたので、例えば夏季の日中等の外気が高温になる場合でも、第２のデシカントロータ１７によって第２の通風路１１ｂを流通する空気の温度を低下させることができ、第１のデシカントロータ１５で除湿されることにより温度が上昇した第１の通風路１１ａを流通する空気を顕熱交換器１６によって確実に冷却することができる。【選択図】図１
2006071168.tif 000002
【特許請求の範囲】
【請求項１】
空調空間の空気を流通する第１の通風路と、外気を流通する第２の通風路と、第１の通風路を流通する空気中の水分を吸着して第２の通風路を流通する空気中に放出する第１の吸湿部材と、第１の通風路を流通する空気と第２の通風路を流通する空気とを熱交換する熱交換器と、第２の通風路を流通する空気を加熱する熱源とを備え、第１の通風路を流通する空気を第１の吸湿部材により除湿し、除湿した空気を熱交換器によって第２の通風路を流通する空気と熱交換することにより冷却して空調空間に供給し、熱交換器によって第１の通風路を流通する空気と熱交換した第２の通風路を流通する空気を熱源によって加熱することにより、第１の吸湿部材に吸着した水分を第２の通風路を流通する空気中に放出するようにした空気調和装置において、
前記第２の通風路の熱交換器の上流側と並列に少なくとも一部が配置された第３の通風路と、
第３の通風路を流通する空気中の水分を吸着して第２の通風路の熱交換器の上流側を流通する空気中に放出する第２の吸湿部材とを備えた
ことを特徴とする空気調和装置。
【請求項２】
前記第３の通風路に他の冷凍機器によって冷却された空気を流通させるように構成した
ことを特徴とする請求項１記載の空気調和装置。
【請求項３】
空調空間の空気を流通する第１の通風路と、外気を流通する第２の通風路と、第１の通風路を流通する空気中の水分を吸着して第２の通風路を流通する空気中に放出する第１の吸湿部材と、第１の通風路を流通する空気と第２の通風路を流通する空気とを熱交換する熱交換器と、第２の通風路を流通する空気を加熱する熱源とを備え、第１の通風路を流通する空気を第１の吸湿部材により除湿し、除湿した空気を熱交換器によって第２の通風路を流通する空気と熱交換することにより冷却して空調空間に供給し、熱交換器によって第１の通風路を流通する空気と熱交換した第２の通風路を流通する空気を熱源によって加熱することにより、第１の吸湿部材に吸着した水分を第２の通風路を流通する空気中に放出するようにした空気調和装置において、
前記第１の通風路の熱交換器の下流側を流通する空気を冷却する蒸発器と、
第２の通風路の熱交換器の下流側を流通する空気を加熱する前記熱源としての凝縮器と、
圧縮機によって蒸発器及び凝縮器に冷媒を循環させる冷媒回路と、
蒸発器によって冷却された第１の通風路を流通する空気中の水分を吸着して第２の通風路の熱交換器の上流側を流通する空気中に放出する第２の吸湿部材とを備えた
ことを特徴とする空気調和装置。
【請求項４】
前記第１の通風路の熱交換器と蒸発器の間に空調空間の空気を流入させる第３の通風路を備えた
ことを特徴とする請求項３記載の空気調和装置。
【請求項５】
前記第２の通風路の熱交換器と第１の吸湿部材の間と並列に少なくとも一部が配置され、外気を流通する第４の通風路と、
第２の通風路の熱交換器の下流側を流通する空気中から水分を吸着して第４の通風路を流通する空気中に放出する第３の吸湿部材と、
第４の通風路を流通する空気を加熱する熱源とを備えた
ことを特徴とする請求項１、２、３または４記載の空気調和装置。
【請求項６】
空調空間の空気を流通する第１の通風路と、外気をそれぞれ流通する第２及び第３の通風路と、第１の通風路を流通する空気中の水分を吸着して第３の通風路を流通する空気中に放出する第１の吸湿部材と、第１の通風路を流通する空気と第２の通風路を流通する空気とを熱交換する熱交換器と、第３の通風路を流通する空気を加熱する熱源とを備え、第１の通風路を流通する空気を第１の吸湿部材により除湿し、除湿した空気を熱交換器によって第２の通風路を流通する空気と熱交換することにより冷却して空調空間に供給し、第３の通風路を流通する空気を熱源によって加熱することにより、第１の吸湿部材に吸着した水分を第３の通風路を流通する空気中に放出するようにした空気調和装置において、
前記第２の通風路の熱交換器の上流側と並列に少なくとも一部が配置された第４の通風路と、
第４の通風路を流通する空気中の水分を吸着して第２の通風路の熱交換器の上流側を流通する空気中に放出する第２の吸湿部材とを備えた
ことを特徴とする空気調和装置。
【請求項７】
前記第４の通風路に他の冷凍機器によって冷却された空気を流通させるように構成した
ことを特徴とする請求項６記載の空気調和装置。
【請求項８】
前記第４の通風路の第２の吸湿部材の上流側を流通する空気を冷却する蒸発器と、
第３の通風路の第１の吸湿部材の上流側を流通する空気を加熱する前記熱源としての凝縮器と、
圧縮機によって蒸発器及び凝縮器に冷媒を循環させる冷媒回路とを備え、
第４の通風路に空調空間の空気を流通させるように構成した
ことを特徴とする請求項６記載の空気調和装置。
【請求項９】
前記第１の通風路の第１の吸湿部材の上流側に外気を流入させるとともに、第２の通風路の第２の吸湿部材の上流側に空調空間の空気を流入させるように構成した
ことを特徴とする請求項１、２、３、４、５、６、７または８記載の空気調和装置。
【請求項１０】
前記熱交換器として第１の通風路を流通する空気と第２の通風路を流通する空気の顕熱のみを熱交換する顕熱交換器を用いた
ことを特徴とする請求項１、２、３、４、５、６、７、８または９記載の空気調和装置。
【発明の詳細な説明】
【技術分野】
【０００１】
本発明は、空調空間に供給する空気の湿度を調整する空気調和装置に関するものである。
【背景技術】
【０００２】
従来、この種の空気調和装置としては、空調空間内の空気を流通する第１の通風路と、外気を流通する第２の通風路と、第１の通風路を流通する空気中の水分を吸着して第２の通風路を流通する空気中に放出する吸湿部材としてのデシカントロータと、第１の通風路を流通する空気と第２の通風路を流通する空気との顕熱を熱交換する顕熱交換器と、第２の通風路を流通する空気を加熱する熱源とを備え、第１の通風路を流通する空気を吸湿部材により除湿し、除湿した空気を顕熱交換器によって第２の通風路を流通する空気と熱交換することにより冷却して空調空間に供給し、顕熱交換器によって第１の通風路を流通する空気と熱交換した第２の通風路を流通する空気を熱源によって加熱することにより、吸湿部材に吸着した水分を第２の通風路を流通する空気中に放出するようにしたものが知られている（例えば、特許文献１参照）。
【０００３】
前記空気調和装置において、第１及び第２の通風路を流通する空気の状態を図９の空気線図を用いて説明する。空調空間から第１の通風路に流入する還気（ＲＡ）は（状態Ａ）、デシカントロータによって除湿されることにより絶対湿度が低下するとともに、空気中の水分の凝縮熱によって温度が上昇する（状態Ｂ）。デシカントロータによって除湿された第１の通風路を流通する空気は、顕熱交換器によって第２の通風路を流通する空気と熱交換することにより絶対湿度を変化させることなく冷却され、給気（ＳＡ）として空調空間に供給される（状態Ｃ）。また、外部から第２の通風路に流入する外気（ＯＡ）は（状態Ｄ）、顕熱交換器によって第１の通風路を流通する空気と熱交換することにより絶対湿度を変化させることなく加熱され（状態Ｅ）、熱源によって絶対湿度を変化させることなく更に加熱される（状態Ｆ）。熱源によって加熱された空気は、デシカントロータに吸着した水分を蒸発させることにより絶対湿度が上昇するとともに、水分の蒸発熱によって温度が低下した状態で排気（ＥＡ）として外部に排出される（状態Ｇ）。
【特許文献１】特開平７−７５１号公報
【発明の開示】
【発明が解決しようとする課題】
【０００４】
しかしながら、従来の空気調和装置において、デシカントロータによって除湿されることにより温度が上昇した空気は、第２の通風路を流通する外気と熱交換して空調空間に供給されている。このため、例えば夏季の日中など外気温度が高くなる場合には、温度が上昇した空気は十分に冷却されることなく空調空間に供給され、空調負荷が大きくなるという問題点があった。
【０００５】
本発明は前記問題点に鑑みてなされたものであり、その目的とするところは、外気の温度条件に拘わらず除湿した空気を冷却して空調空間に供給することのできる空気調和装置を提供することにある。
【課題を解決するための手段】
【０００６】
本発明は前記目的を達成するために、空調空間の空気を流通する第１の通風路と、外気を流通する第２の通風路と、第１の通風路を流通する空気中の水分を吸着して第２の通風路を流通する空気中に放出する第１の吸湿部材と、第１の通風路を流通する空気と第２の通風路を流通する空気とを熱交換する熱交換器と、第２の通風路を流通する空気を加熱する熱源とを備え、第１の通風路を流通する空気を第１の吸湿部材により除湿し、除湿した空気を熱交換器によって第２の通風路を流通する空気と熱交換することにより冷却して空調空間に供給し、熱交換器によって第１の通風路を流通する空気と熱交換した第２の通風路を流通する空気を熱源によって加熱することにより、第１の吸湿部材に吸着した水分を第２の通風路を流通する空気中に放出するようにした空気調和装置において、前記第２の通風路の熱交換器の上流側と並列に少なくとも一部が配置された第３の通風路と、第３の通風路を流通する空気中の水分を吸着して第２の通風路の熱交換器の上流側を流通する空気中に放出する第２の吸湿部材とを備えている。
【０００７】
これにより、第２の吸湿部材によって第３の通風路を流通する空気から吸着した水分が第２の通風路を流通する空気中に蒸発して放出されることから、第２の通風路を流通する空気が水分の蒸発熱によって冷却される。
【０００８】
また、空調空間の空気を流通する第１の通風路と、外気を流通する第２の通風路と、第１の通風路を流通する空気中の水分を吸着して第２の通風路を流通する空気中に放出する第１の吸湿部材と、第１の通風路を流通する空気と第２の通風路を流通する空気とを熱交換する熱交換器と、第２の通風路を流通する空気を加熱する熱源とを備え、第１の通風路を流通する空気を第１の吸湿部材により除湿し、除湿した空気を熱交換器によって第２の通風路を流通する空気と熱交換することにより冷却して空調空間に供給し、熱交換器によって第１の通風路を流通する空気と熱交換した第２の通風路を流通する空気を熱源によって加熱することにより、第１の吸湿部材に吸着した水分を第２の通風路を流通する空気中に放出するようにした空気調和装置において、前記第１の通風路の熱交換器の下流側を流通する空気を冷却する蒸発器と、第２の通風路の熱交換器の下流側を流通する空気を加熱する前記熱源としての凝縮器と、圧縮機によって蒸発器及び凝縮器に冷媒を循環させる冷媒回路と、蒸発器によって冷却された第１の通風路を流通する空気中の水分を吸着して第２の通風路の熱交換器の上流側を流通する空気中に放出する第２の吸湿部材とを備えている。
【０００９】
これにより、第２の吸湿部材によって第１の通風路を流通する空気から吸着した水分が第２の通風路を流通する空気中に蒸発して放出されることから、第２の通風路を流通する空気が水分の蒸発熱によって冷却される。
【００１０】
また、空調空間の空気を流通する第１の通風路と、外気をそれぞれ流通する第２及び第３の通風路と、第１の通風路を流通する空気中の水分を吸着して第３の通風路を流通する空気中に放出する第１の吸湿部材と、第１の通風路を流通する空気と第２の通風路を流通する空気とを熱交換する熱交換器と、第３の通風路を流通する空気を加熱する熱源とを備え、第１の通風路を流通する空気を第１の吸湿部材により除湿し、除湿した空気を熱交換器によって第２の通風路を流通する空気と熱交換することにより冷却して空調空間に供給し、第３の通風路を流通する空気を熱源によって加熱することにより、第１の吸湿部材に吸着した水分を第３の通風路を流通する空気中に放出するようにした空気調和装置において、前記第２の通風路の熱交換器の上流側と並列に少なくとも一部が配置された第４の通風路と、第４の通風路を流通する空気中の水分を吸着して第２の通風路の熱交換器の上流側を流通する空気中に放出する第２の吸湿部材とを備えている。
【００１１】
これにより、第２の吸湿部材によって第４の通風路を流通する空気から吸着した水分が第２の通風路を流通する空気中に蒸発して放出されることから、第２の通風路を流通する空気が水分の蒸発熱によって冷却される。
【発明の効果】
【００１２】
本発明によれば、第２の吸湿部材から放出される水分の蒸発熱によって第２の通風路を流通する空気の温度を低下させることができるので、例えば夏季の日中等の外気が高温になる場合でも、第１の吸湿部材で除湿されることにより温度が上昇した第１の通風路を流通する空気を熱交換器によって確実に冷却することができる。
【発明を実施するための最良の形態】
【００１３】
図１及び図２は本発明の第１の実施形態を示すもので、図１は空気調和装置の概略図、図２は空気の状態を示す空気線図である。
【００１４】
ここでは、例えばコンビニエンスストアやスーパーマーケット等の店舗内が空調空間Ａとして空調され、店舗内または店舗に隣接するバックヤードには調理室や管理室等の室内温度が低く保たれている空調空間Ｂが設けられている。
【００１５】
この空気調和装置は、空調空間Ａの天井裏または空調空間Ａに隣接して設けられた機械室内に設置される装置本体１１と、装置本体１１に空調空間Ａの空気を流通させる第１の送風機１２と、装置本体１１に外気を流通させる第２の送風機１３と、装置本体１１に空調空間Ｂ内の空気を流通させる第３の送風機１４と、空調空間Ａの空気中の水分を吸着する第１の吸湿部材としての第１のデシカントロータ１５と、外気と空調空間Ａの空気とを熱交換する熱交換器としての顕熱交換器１６と、顕熱交換器１６を流通する前の外気に水分を放出する第２の吸湿部材としての第２のデシカントロータ１７と、顕熱交換器１６を流通した後の外気を加熱する熱源１８とを備えている。
【００１６】
装置本体１１は、その内部を仕切ることにより設けられた第１の通風路１１ａ、第２の通風路１１ｂ及び第３の通風路１１ｃを備え、第１の通風路１１ａ、第２の通風路１１ｂ及び第３の通風路１１ｃの両端部にはそれぞれダクトが接続される開口部が設けられている。また、第１の通風路１１ａの両端部は空調空間Ａにそれぞれ連通し、第２の通風路１１ｂの両端部は外部にそれぞれ連通し、第３の通風路１１ｃの両端部は空調空間Ｂ内にそれぞれ連通するようになっている。
【００１７】
第１の送風機１２は、第１の通風路１１ａ内に設置され、第１の通風路１１ａの一端側から他端側に向かって空気を流通させることにより空調空間Ａの空気が循環するようになっている。
【００１８】
第２の送風機１３は、第２の通風路１１ｂ内に設置され、第１の通風路１１ａの空気の流れ方向と逆向きに外部の空気を第２の通風路１１ｂに流通させるようになっている。
【００１９】
第３の送風機１４は、第３の通風路１１ｃ内に設置され、第２の通風路１１ｂの空気の流れ方向と逆向きに空調空間Ｂの空気を第３の通風路１１ｃに流通させるようになっている。
【００２０】
第１のデシカントロータ１５は、例えばシリカゲル、ゼオライト等の吸湿剤を含んだエレメント１５ａを円板状に形成した部材からなり、第１の通風路１１ａの顕熱交換器１６の上流側及び第２の通風路１１ｂの熱交換器の下流側に亘って設けられている。また、第１のデシカントロータ１５は図示しないモータによってエレメント１５ａを径方向の中心を軸に回転させることにより、第１の通風路１１ａと第２の通風路１１ｂとの間をエレメント１５ａが回転しながら移動するようになっている。
【００２１】
顕熱交換器１６は、周知の直交流型の熱交換器からなり、第１の通風路１１ａを流通する空気と第２の通風路１１ｂを流通する空気との顕熱のみを熱交換するようになっている。
【００２２】
第２のデシカントロータ１７は、第１のデシカントロータ１５と同様、吸湿剤を含んだエレメント１７ａを円板状に形成した部材からなり、第２の通風路１１ｂの顕熱交換器１６の上流側に第２の通風路１１ｂ及び第３の通風路１１ｃに亘って設けられている。また、第２のデシカントロータ１７は、図示しないモータによってエレメント１７ａを径方向の中心を軸に回転させることにより、第２の通風路１１ｂ及び第３の通風路１１ｃとの間をエレメント１７ａが回転しながら移動するようになっている。
【００２３】
熱源１８は、冷却装置の凝縮器や電気ヒータからなり、第２の通風路１１ｂの第１のデシカントロータ１５と顕熱交換器１６の間に配置されている。
【００２４】
以上のように構成された空気調和装置において、まず、第１の送風機１２、第２の送風機１３、第３の送風機１４、第１のデシカントロータ１５、第２のデシカントロータ１７及び熱源１８を運転する。これにより、第１の通風路１１ａでは、第１の送風機１２によって空調空間Ａから流通させた還気（ＲＡ）を第１のデシカントロータ１５のエレメント１５ａに接触させ、空気中に含まれる水分をエレメント１５ａに吸着させる。第１のデシカントロータ１５によって絶対湿度を低下させた空気を顕熱交換器１６によって第２の通風路１１ｂを流通する空気と熱交換させて、給気（ＳＡ）として空調空間Ａに供給する。また、第２の通風路１１ｂでは、第２の送風機１３によって外部から流通させた外気（ＯＡ）を第２のデシカントロータ１７のエレメント１７ａに接触させることにより、エレメント１７ａに吸着している水分を第２の通風路１１ｂを流通する空気中に放出させる。第２のデシカントロータ１７によって絶対湿度を上昇させた空気を顕熱交換器１６によって第１の通風路１１ａを流通する空気と熱交換させた後、その空気を熱源１８によって加熱する。熱源１８によって加熱された空気を第１のデシカントロータ１５のエレメント１５ａに接触させることにより、エレメント１５ａに吸着している水分を蒸発させて空気中に放出し、水分を吸収した空気を排気（ＥＡ）として外部に排出する。また、第３の通風路１１ｃでは、第３の送風機１４によって空調空間Ｂから流通させた還気（ＲＡ）を第２のデシカントロータ１７のエレメント１７ａに接触させて空気中に含まれる水分をエレメント１７ａに吸着させ、第２のデシカントロータ１７において絶対湿度が低下した空気を給気（ＳＡ）として空調空間Ｂ内に供給する。
【００２５】
第１の通風路１１ａ内の第１のデシカントロータ１５に水分を吸着させると、第１の通風路１１ａを流通する空気は水分の凝縮熱によって温度が上昇する。また、第２の通風路１１ｂ内の第２のデシカントロータ１７から水分を放出させると、第２の通風路１１ｂを流通する空気は水分の蒸発熱により温度が低下する。これらの空気を顕熱交換器１６によって熱交換することにより第１の通風路１１ａを流通する空気は冷却されて空調空間Ａに供給される。また、第３の通風路１１ｃを流通する空調空間Ｂ内の冷却された空気は相対湿度が高く、第２のデシカントロータ１７のエレメント１７ａに空気中の水分を効率的に吸着させる。
【００２６】
このときの空気の状態を図２の空気線図を用いて説明すると、空調空間Ａから第１の通風路１１ａに流入する還気（ＲＡ）は（状態Ａ）、第１のデシカントロータ１５によって除湿されることにより絶対湿度が低下するとともに、空気中の水分の凝縮熱によって温度が上昇する（状態Ｂ）。また、外部から第２の通風路１１ｂに流入する外気（ＯＡ）は（状態Ｄ）、第３の通風路１１ｃを流通する空気中の水分を吸着した第２のデシカントロータ１７によって加湿されることにより絶対湿度が高くなるとともに、水分の蒸発熱によって温度が低下する（状態Ｄ′）。更に、空調空間Ｂから第３の通風路１１ｃに流入する還気（ＲＡ）は（状態Ｈ）、第２のデシカントロータ１７によって除湿されることにより絶対湿度が低下するとともに、空気中の水分の凝縮熱によって温度が上昇する（状態Ｉ）。第１の通風路１１ａを流通する状態Ｂの空気と第２の通風路１１ｂを流通する状態Ｄ′の空気とを顕熱交換器１６によって熱交換することにより、第１の通風路１１ａを流通する空気は冷却され（状態Ｃ′）、第２の通風路１１ｂを流通する空気は加熱される（状態Ｅ′）。このようにして、第１の通風路１１ａを流通する状態Ｃ′の空気は十分に冷却されて給気（ＳＡ）として空調空間Ａに供給される。また、第２の通風路１１ｂを流通する状態Ｅ′の空気は熱源１８によって加熱され（状態Ｆ′）、第１の通風路１１ａを流通する空気中の水分を吸着した第１のデシカントロータ１５によって加湿されることにより絶対湿度が上昇するとともに、水分の蒸発熱によって温度が低下して排気（ＥＡ）として外部に排出される（状態Ｇ′）。
【００２７】
このように、本実施形態の空気調和装置によれば、顕熱交換器１６によって第１の通風路１１ａを流通する空気と第２の通風路１１ｂを流通する空気を熱交換させる前に第２のデシカントロータ１７によって第２の通風路１１ｂを流通する空気に水分を放出させるようにしたので、例えば夏季の日中等の外気が高温になる場合でも、第２のデシカントロータ１７によって第２の通風路１１ｂを流通する空気の温度を低下させることができ、第１のデシカントロータ１５で除湿されることにより温度が上昇した第１の通風路１１ａを流通する空気を顕熱交換器１６によって確実に冷却することができる。
【００２８】
また、空調空間Ｂの空気を第３の通風路１１ｃに流通させることにより第２のデシカントロータ１７に水分を吸着させるようにしたので、冷却されて相対湿度が高い状態の空気を第２のデシカントロータ１７のエレメント１７ａに接触させることができ、空気中の水分を効率的にエレメント１７ａに吸着させることができる。
【００２９】
図３は本発明の第２の実施形態を示すもので、空気調和装置の概略図である。尚、前記第１の実施形態と同様の構成部分には同一の符号を付して示す。
【００３０】
本実施形態の空気調和装置は、第４の通風路２１ｄが設けられた装置本体２１と、第４の通風路２１ｄに空気を流通させる第４の送風機２２と、第２の通風路２１ｂを流通する空気中から水分を吸着する第３のデシカントロータ２３と、第４の通風路２１ｄを流通する空気を加熱する熱源２４とを備えている。
【００３１】
装置本体２１は第２の通風路２１ｂの顕熱交換器１６の下流側に第４の通風路２１ｄの一部が隣り合うように設けられ、第４の通風路２１ｄの一端側及び他端側がそれぞれ外部に連通するようになっている。
【００３２】
第４の送風機２２は、第４の通風路２１ｄ内に設置され、第２の通風路２１ｂと隣り合う第４の通風路２１ｄ内の空気を第２の通風路２１ｂを流通する空気の流れ方向と逆向きに流通させるようになっている。
【００３３】
第３のデシカントロータ２３は、第２の通風路２１ｂの第１のデシカントロータ１５と顕熱交換器１６との間に第２の通風路２１ｂ及び第４の通風路２１ｄに亘って設けられている。
【００３４】
熱源２４は第４の通風路２１ｄ内の第３のデシカントロータ２３の上流側に配置され、第４の通風路２１ｄを流通する空気を加熱するようになっている。
【００３５】
以上のように構成された空気調和装置において、まず、第１の送風機１２、第２の送風機１３、第３の送風機１４、熱源１８、第４の送風機２２、第１のデシカントロータ１５、第２のデシカントロータ１７、第３のデシカントロータ２３及び熱源２４を運転する。これにより、第１の通風路２１ａでは、第１の送風機１２によって空調空間Ａから流通させた還気（ＲＡ）を第１のデシカントロータ１５のエレメント１５ａに接触させ、空気中に含まれる水分をエレメント１５ａに吸着させる。第１のデシカントロータ１５によって絶対湿度を低下させた空気を顕熱交換器１６によって第２の通風路２１ｂを流通する空気と熱交換させ、給気（ＳＡ）として空調空間Ａに供給する。また、第２の通風路２１ｂでは、第２の送風機１３によって外部から流通させた外気（ＯＡ）を第２のデシカントロータ１７のエレメント１７ａに接触させることにより、エレメント１７ａに吸着している水分を第２の通風路２１ｂを流通する空気中に放出させる。第２のデシカントロータ１７によって絶対湿度を上昇させた空気を顕熱交換器１６によって第１の通風路２１ａを流通する空気と熱交換させた後、その空気を第３のデシカントロータ２３のエレメント２３ａに接触させて空気中に含まれる水分をエレメント２３ａに吸着させる。第３のデシカントロータ２３によって絶対湿度を低下させた空気を熱源１８によって加熱して第１のデシカントロータ１５のエレメント１５ａに接触させることにより、エレメント１５ａに吸着した水分を蒸発させて空気中に放出させ、水分を吸収した空気を排気（ＥＡ）として外部に排出する。また、第３の通風路２１ｃでは、第３の送風機１４によって空調空間Ｂから流通させた還気（ＲＡ）を第２のデシカントロータ１７のエレメント１７ａに接触させて空気中に含まれる水分をエレメント１７ａに吸着させ、絶対湿度を低下させた空気を給気（ＳＡ）として空調空間Ｂ内に供給する。更に、第４の通風路２１ｄでは、第４の送風機２２によって外部から流通させた外気（ＯＡ）を熱源２４によって加熱し、加熱された空気を第３のデシカントロータ２３のエレメント２３ａに接触させることにより、エレメント２３ａに吸着した水分は蒸発して空気中に放出され、水分を吸収した空気を排気（ＥＡ）として外部に排出する。
【００３６】
第１の通風路２１ａ内の第１のデシカントロータ１５に水分を吸着させると、第１の通風路２１ａを流通する空気は水分の凝縮熱によって温度が上昇する。また、第２の通風路２１ｂ内の第２のデシカントロータ１７から水分を放出させると、第２の通風路２１ｂを流通する空気は水分の蒸発熱により温度が低下する。これらの空気を顕熱交換器１６によって熱交換することにより第１の通風路２１ａを流通する空気は冷却されて空調空間Ａに供給される。また、第３の通風路１１ｃを流通する空調空間Ｂ内の冷却された空気は相対湿度が高く、第２のデシカントロータ１７のエレメント１７ａに空気中の水分を効率的に吸着させる。
【００３７】
このように、本実施形態の空気調和装置によれば、前記第１の実施形態と同様に、第１のデシカントロータ１５で除湿されることにより温度が上昇した第１の通風路２１ａを流通する空気を顕熱交換器１６によって確実に冷却することができる。
【００３８】
また、第２の通風路２１ｂの顕熱交換器１６から吐出する空気を第３のデシカントロータ２３によって除湿するようにしたので、絶対湿度が低い空気を第１のデシカントロータ１５のエレメント１５ａに接触させて第１のデシカントロータ１５に吸着した水分を確実に放出させることがき、第１のデシカントロータ１５の除湿能力の向上を図ることができる。
【００３９】
図４は本発明の第３の実施形態を示すもので、空気調和装置の概略図である。尚、前記第１の実施形態と同様の構成部分には同一の符号を付して示す。
【００４０】
本実施形態の空気調和装置は、装置本体３１の第１の通風路３１ａの下流側と第２の通風路３１ｂの上流側が隣り合うように構成され、第２のデシカントロータ１７が第１の通風路３１ａ及び第２の通風路３１ｂに亘って設けられている。また、この空気調和装置は空調空間Ａに供給する空気を冷却する冷媒回路４０を備え、第１の通風路３１ａの第２のデシカントロータ１７の上流側に設けられた蒸発器４１と第２の通風路３１ｂの第１のデシカントロータ１５の上流側に設けられた熱源としての凝縮器４２に圧縮機４３から吐出された冷媒が循環するようになっている。更に、第１の通風路３１ａの顕熱交換器１６と蒸発器４１との間は空調空間Ａに連通する第３の通風路３１ｃが設けられ、第１の送風機１２によって還気（ＲＡ）が流入するようになっている。
【００４１】
以上のように構成された空気調和装置において、まず、第１の送風機１２、第２の送風機１３、第１のデシカントロータ１５、第２のデシカントロータ１７及び圧縮機４３を運転する。これにより、第１の通風路３１ａでは、第１の送風機１２によって空調空間Ａから流通させた還気（ＲＡ）を第１のデシカントロータ１５のエレメント１５ａに接触させ、空気中に含まれる水分をエレメント１５ａに吸着させる。第１のデシカントロータ１５によって絶対湿度を低下させた空気を顕熱交換器１６によって第２の通風路３１ｂを流通する空気と熱交換させた後、その空気と第３の通風路３１ｃから流入する還気（ＲＡ）とを合流させる。第３の通風路３１ｃを流通する空気と合流した第２の通風路３１ｂを流通する空気を蒸発器４１によって冷却して第２のデシカントロータ１７のエレメント１７ａに接触させることにより、空気中に含まれる水分をエレメント１７ａに吸着させて給気（ＳＡ）として空調空間Ａに供給する。また、第２の通風路３１ｂでは、第２の送風機１３によって外部から流通させた外気（ＯＡ）を第２のデシカントロータ１７のエレメント１７ａに接触させることにより、エレメント１７ａに吸着している水分を第２の通風路３１ｂを流通する空気中に放出させる。第２のデシカントロータ１７によって絶対湿度を上昇させた空気を顕熱交換器１６によって第１の通風路３１ａを流通する空気と熱交換させた後、その空気を凝縮器４２によって加熱する。凝縮器４２によって加熱された空気を第１のデシカントロータ１５のエレメント１５ａに接触させることにより、エレメント１５ａに吸着している水分を蒸発させて空気中に放出し、水分を吸収した空気を排気（ＥＡ）として外部に排出する。
【００４２】
第１の通風路３１ａ内の第１のデシカントロータ１５に水分を吸着させると、第１の通風路３１ａを流通する空気は水分の凝縮熱によって温度が上昇する。また、第２の通風路３１ｂ内の第２のデシカントロータ１７から水分を放出させると、第２の通風路３１ｂを流通する空気は水分の蒸発熱により温度が低下する。これらの空気を顕熱交換器１６によって熱交換することにより第１の通風路３１ａを流通する空気は冷却されて空調空間Ａに供給される。また、第１の通風路３１ａを流通する空気は蒸発器４１によって冷却されることにより相対湿度が高くなり、第２のデシカントロータ１７のエレメント１７ａに空気中の水分を効率的に吸着させる。
【００４３】
このように、本実施形態の空気調和装置によれば、前記第１の実施形態と同様に、第１のデシカントロータ１５で除湿されることにより温度が上昇した第１の通風路３１ａを流通する空気を顕熱交換器１６によって確実に冷却することができる。
【００４４】
また、第１の通風路３１ａの第２のデシカントロータ１７の上流側に配置された蒸発器４１によって冷却された空気を第２のデシカントロータ１７に流通させて水分を吸着させるようにしたので、冷却されて相対湿度が高い状態の空気を第２のデシカントロータ１７のエレメント１７ａに接触させることができ、空気中の水分を効率的にエレメント１７ａに吸着させることができる。
【００４５】
また、第１の通風路３１ａを流通する空気は第１及び第２のデシカントロータ１５，１７によって除湿されるので、より確実に空調空間Ａに供給する空気を除湿することができる。
【００４６】
また、第１の通風路３１ａを流通する空気を冷却して蒸発器４１が吸収した熱を第２の通風路３１ｂの第１のデシカントロータ１５の上流側に配置された凝縮器４２において放出させるようにしたので、凝縮器４２の凝縮熱によって第１のデシカントロータ１５を再生することができ、別途熱源を設ける必要がない。
【００４７】
また、第３の通風路３１ｃによって空調空間Ａの空気を第１の通風路３１ａの顕熱交換器１６と蒸発器４１との間に流入させるようにしたので、第２のデシカントロータ１７に第１のデシカントロータ１５によって除湿されていない空調空間Ａの空気を流通させることができ、第２のデシカントロータ１７の水分の吸着量を増加させることができる。
【００４８】
尚、前記第３の実施形態では、第１の通風路３１ａの顕熱交換器１６と蒸発器４１との間に第３の通風路３１ｃを設け、空調空間Ａの還気を流通させるようにしたものを示したが、図５に示すように、空調空間Ａの空気を流入させることなく、第１の通風路３１ａを流通する空気を蒸発器４１によって冷却して第２のデシカントロータ１７に水分を吸着させるようにしてもよい。この場合、第１の通風路３１ａを流通する空気をより確実に除湿することができる。
【００４９】
また、前記第２の実施形態のように、第２の通風路３１ｂの顕熱交換器１６の下流側を流通する空気を除湿する第３のデシカントロータを設け、第３のデシカントロータによって除湿された空気を第１のデシカントロータ１５のエレメント１５ａに接触させるようにしてもよい。これにより、第１のデシカントロータ１５に吸着した水分を確実に第２の通風路３１ｂを流通する空気中に放出させ、第１のデシカントロータ１５の除湿能力を向上させることができる。
【００５０】
図６は本発明の第４の実施形態を示すもので、空気調和装置の概略図である。
【００５１】
この空気調和装置の装置本体５１は、空調空間Ａの空気を流通する第１の通風路５１ａと、第１の通風路５１ａを流通する空気と熱交換する外気を流通する第２の通風路５１ｂと、少なくとも一部が第１の通風路５１ａの上流側と隣り合うように配置され、外気を流通する第３の通風路５１ｃと、少なくとも一部が第２の通風路５１ｂの上流側と隣り合うように配置され空調空間Ｂ内の空気を流通する第４の通風路５１ｄとを備えている。
【００５２】
また、この空気調和装置は、前記実施形態と同様、第１の通風路５１ａに空調空間Ａの空気を流通させる第１の送風機５２と、第２の通風路５１ｂに外気を流通させる第２の送風機５３と、第３の通風路５１ｃに外気を流通させる第３の送風機５４と、第４の通風路５１ｄに空調空間Ｂ内の空気を流通させる第４の送風機５５と、第１の通風路５１ａを流通する空気中の水分を吸着して第３の通風路５１ｃを流通する空気中に放出する第１の吸湿部材としての第１のデシカントロータ５６と、第１の通風路５１ａを流通する空気と第２の通風路５１ｂを流通する空気とを熱交換する熱交換器としての顕熱交換器５７と、第４の通風路５１ｄを流通する空気中の水分を吸着して第２の通風路５１ｂを流通する空気中に放出する第２の吸湿部材としての第２のデシカントロータ５８と、第３の通風路５１ｃを流通する空気を加熱する熱源５９とを備えている。
【００５３】
以上のように構成された空気調和装置において、まず、第１の送風機５２、第２の送風機５３、第３の送風機５４、第４の送風機５５、第１のデシカントロータ５６、第２のデシカントロータ５８を運転する。これにより、第１の通風路５１ａでは、第１の送風機５２によって空調空間Ａから流通させた還気（ＲＡ）を第１のデシカントロータ５６のエレメント５６ａに接触させ、空気中に含まれる水分をエレメント５６ａに吸着させる。第１のデシカントロータ５６によって絶対湿度を低下させた空気を顕熱交換器５７によって第２の通風路５１ｂを流通する空気と熱交換させ、給気（ＳＡ）として空調空間Ａに供給する。また、第２の通風路５１ｂでは、第２の送風機５３によって外部から流通させた外気（ＯＡ）を第２のデシカントロータ５８のエレメント５８ａに接触させることにより、エレメント５８ａに吸着している水分を第２の通風路５１ｂを流通する空気中に放出させる。第２のデシカントロータ５８によって絶対湿度を上昇させた空気を、顕熱交換器５７によって第１の通風路５１ａを流通する空気と熱交換させた後、排気（ＥＡ）として外部に排出する。また、第３の通風路５１ｃでは、第３の送風機５４によって外部から流通させた外気（ＯＡ）を熱源５９によって加熱して第１のデシカントロータ５６のエレメント５６ａに接触させることにより、エレメント５６ａに吸着した水分は蒸発して空気中に放出され、水分を吸収した空気を排気（ＥＡ）として外部に排出する。更に、第４の通風路５１ｄでは、第４の送風機５５によって空調空間Ｂから流通させた還気（ＲＡ）を第２のデシカントロータ５８のエレメント５８ａに接触させて空気中に含まれる水分をエレメント５８ａに吸着させ、絶対湿度を低下させた空気を給気（ＳＡ）として空調空間Ｂ内に供給する。
【００５４】
第１の通風路５１ａ内の第１のデシカントロータ５６に水分を吸着させると、第１の通風路５１ａを流通する空気は水分の凝縮熱によって温度が上昇する。また、第２の通風路５１ｂ内の第２のデシカントロータ５８から水分を放出させると、第２の通風路５１ｂを流通する空気は水分の蒸発熱により温度が低下する。これらの空気を顕熱交換器５７によって熱交換することにより第１の通風路５１ａを流通する空気は冷却されて空調空間Ａに供給される。また、第２のデシカントロータ５８によって加湿された第２の通風路５１ｂを流通する空気は外部に排出されるとともに、第１のデシカントロータ５６のエレメント５６ａに吸着している水分を第３の通風路５１ｃを流通する外気を熱源５９により加熱することによって空気中に放出させる。更に、第４の通風路５１ｄを流通する空調空間Ｂ内の冷却された空気は相対湿度が高く、第２のデシカントロータ５８のエレメント５８ａに空気中の水分を効率的に吸着させる。
【００５５】
このように、本実施形態の空気調和装置によれば、前記第１の実施形態と同様に、第１のデシカントロータ５６で除湿されることにより温度が上昇した第１の通風路５１ａを流通する空気を顕熱交換器５７によって確実に冷却することができる。
【００５６】
また、第２のデシカントロータ５８によって第４の通風路５１ｄを流通する空気中の水分を吸着して第２の通風路５１ｂを流通する空気中に放出し、水分が放出された第２の通風路５１ｂを流通する空気を排気として排出するとともに、第３の通風路５１ｃに外気を流通させて第１のデシカントロータ５６に吸着した水分を放出させるようにしたので、第２のデシカントロータ５８によって水分を含んだ空気を第１のデシカントロータ５６の再生に利用することなく、別途第３の通風路５１ｃを流通する外気を第１のデシカントロータ５６の再生に利用することができ、第１のデシカントロータ５６に吸着した水分を確実に第３の通風路５１ｃを流通する空気中に放出させてエレメント５６ａを再生することができる。
【００５７】
また、空調空間Ｂの空気を第４の通風路５１ｃに流通させることにより第２のデシカントロータ５８に水分を吸着させるようにしたので、冷却されて相対湿度が高い状態の空気を第２のデシカントロータ５８のエレメント５８ａに接触させることができ、空気中の水分を効率的にエレメント５８ａに吸着させることができる。
【００５８】
図７及び図８は本発明の第５の実施形態を示すもので、図７は除湿運転時の空気調和装置の概略図、図８は加湿運転時の空気調和装置の概略図である。
【００５９】
この空気調和装置の装置本体６１は、空調空間Ａの空気及び外気を空調空間Ａに流通する第１の通風路６１ａと、第１の通風路６１ａを流通する空気と熱交換する空調空間Ａ及び外気を流通する第２の通風路６１ｂと、少なくとも一部が第１の通風路６１ａの上流側と隣り合うように配置され、外気を流通する第３の通風路６１ｃと、少なくとも一部が第２の通風路６１ｂの上流側と隣り合うように配置され空調空間Ａ内の空気を流通する第４の通風路６１ｄとを備えている。また、第１の通風路６１ａ及び第４の通風路６１ｄのそれぞれの下流側の端部は合流するように通風路が形成されて空調空間Ａに連通し、第２の通風路６１ｂ及び第３の通風路６１ｃのそれぞれの下流側の端部は合流するように通風路が形成されて外部に連通するようになっている。
【００６０】
また、この空気調和装置は、第１の通風路６１ａ及び第４の通風路６１ｄのそれぞれの下流側が合流する位置に設けられ、第１の通風路６１ａ及び第４の通風路６１ｄに空気を流通させる第１の送風機６２と、第２の通風路６１ｂ及び第４の通風路６１ｃのそれぞれの下流側が合流する位置に設けられ、第２の通風路６１ｂ及び第３の通風路６１ｃに空気を流通させる第２の送風機６３と、第１の通風路６１ａまたは第３の通風路６１ｃを流通する空気中の水分を吸着して第３の通風路６１ｃまたは第１の通風路６１ａを流通する空気中に放出する第１の吸湿部材としての第１のデシカントロータ６４と、第１の通風路６１ａを流通する空気と第２の通風路６１ｂを流通する空気とを熱交換する顕熱交換器６５と、第４の通風路６１ｄまたは第２の通風路６１ｂを流通する空気中の水分を吸着して第２の通風路６１ｂまたは第４の通風路６１ｄを流通する空気中に放出する第２の吸湿部材としての第２のデシカントロータ６６と、第３の通風路６１ｃ及び第４の通風路６１ｄを流通する空気を加熱または冷却する冷凍サイクルが構成された冷媒回路７０を備えている。
【００６１】
前記冷媒回路７０は、冷媒を循環させる圧縮機７１と、第３の通風路６１ｃの第１のデシカントロータ６４の上流側に配置された凝縮器としての第１の熱交換器７２と、第４の通風路６１ｄの第２のデシカントロータ６６の上流側に配置された蒸発器としての第２の熱交換器７３と、第１の熱交換器７２と第２の熱交換器７３の間に設けられた膨張弁７４とを備え、圧縮機７１の吐出側及び吸入側に接続された四方弁７５によって、圧縮機７１から吐出された冷媒を第１の熱交換器７２、第２の熱交換器７３に順次流通させて圧縮機７１に吸入させる除湿運転用流路と、圧縮機７１から吐出された冷媒を第２の熱交換器７３、第１の熱交換器７２に順次流通させて圧縮機７１に吸入させる加湿運転用流路とを切換えるようになっている。
【００６２】
以上のように構成された空気調和装置において、除湿運転を行う場合は、図７に示すように、まず、第１の送風機６２、第２の送風機６３、第１のデシカントロータ６４、第２のデシカントロータ６６及び圧縮機７１を運転するとともに、四方弁７５によって冷媒回路７０を除湿運転用流路に切換える。これにより、第１の通風路６１ａでは、第１の送風機６２によって空調空間Ａから流通させた還気（ＲＡ）及び外部から流通させた外気（ＯＡ）を第１のデシカントロータ６４のエレメント６４ａに接触させ、空気中に含まれる水分をエレメント６４ａに吸着させる。第１のデシカントロータ６４によって絶対湿度を低下させた空気を顕熱交換器６５によって第２の通風路６１ｂを流通する空気と熱交換させて、給気（ＳＡ）として空調空間Ａに供給する。また、第２の通風路６１ｂでは、第２の送風機６３によって空調空間Ａから流通させた還気（ＲＡ）及び外部から流通させた外気（ＯＡ）を第２のデシカントロータ６６のエレメント６６ａに接触させることにより、エレメント６６ａに吸着している水分を第２の通風路６１ｂを流通する空気中に放出させる。第２のデシカントロータ６６によって絶対湿度を上昇させた空気を、顕熱交換器６５によって第１の通風路６１ａを流通する空気と熱交換させた後、排気（ＥＡ）として外部に排出する。また、第３の通風路６１ｃでは、第１の送風機６３によって外部から流通させた外気（ＯＡ）を第１の熱交換器７２によって加熱して第１のデシカントロータ６４のエレメント６４ａに接触させることにより、エレメント６４ａに吸着した水分は蒸発して空気中に放出され、水分を吸収した空気を排気（ＥＡ）として外部に排出する。更に、第４の通風路６１ｄでは、第１の送風機６２によって空調空間Ａから流通させた還気（ＲＡ）を第２の熱交換器７３によって冷却し、冷却した空気を第２のデシカントロータ６６のエレメント６６ａに接触させる。冷却して相対湿度を上昇させた空気をエレメント６６ａに接触させることにより空気中に含まれる水分をエレメント６６ａに吸着させ、絶対湿度を低下させた空気を給気（ＳＡ）として空調空間Ａ内に供給する。
【００６３】
第１の通風路６１ａ内の第１のデシカントロータ６４に水分を吸着させると、第１の通風路６１ａを流通する空気は水分の凝縮熱によって温度が上昇する。また、第２の通風路６１ｂ内の第２のデシカントロータ６６から水分を放出させると、第２の通風路６１ｂを流通する空気は水分の蒸発熱により温度が低下する。これらの空気を顕熱交換器６５によって熱交換することにより第１の通風路６１ａを流通する空気は冷却されて空調空間Ａに供給される。また、第２のデシカントロータ６６によって加湿された第２の通風路６１ｂを流通する空気は外部に排出されるとともに、第１デシカントロータ６４のエレメント６４ａに吸着している水分を第３の通風路６１ｃを流通する外気を第１の熱交換器７２により加熱することによって空気中に放出させる。更に、第４の通風路６１ｄを流通する第２の熱交換器７３によって冷却された空気は相対湿度が高く、第２のデシカントロータ６６のエレメント６６ａに空気中の水分を効率的に吸着させる。
【００６４】
また、加湿運転を行う場合は、図８に示すように、まず、第１の送風機６２、第２の送風機６３、第１のデシカントロータ６４、第２のデシカントロータ６６及び圧縮機７１を運転するとともに、四方弁７５によって冷媒回路７０を加湿運転用流路に切換える。これにより、第１の通風路６１ａでは、第１の送風機６２によって空調空間Ａから流通させた還気（ＲＡ）及び外部から流通させた外気（ＯＡ）を第１のデシカントロータ６４のエレメント６４ａに接触させ、エレメント６４ａに吸着している水分を空気中に放出させる。第１のデシカントロータ６４によって絶対湿度を上昇させた空気を顕熱交換器６５によって第２の通風路６１ｂを流通する空気と熱交換させ、給気（ＳＡ）として空調空間Ａに供給する。また、第２の通風路６１ｂでは、第２の送風機６３によって空調空間Ａから流通させた還気（ＲＡ）及び外部から流通させた外気（ＯＡ）を第２のデシカントロータ６６のエレメント６６ａに接触させることにより、空気中に含まれる水分をエレメント６６ａに吸着させる。第２のデシカントロータ６６によって絶対湿度を低下させた空気を、顕熱交換器６５によって第１の通風路６１ａを流通する空気と熱交換させた後、排気（ＥＡ）として外部に排出する。また、第３の通風路６１ｃでは、第２の送風機６３によって外部から流通させた外気（ＯＡ）を第１の熱交換器７２によって冷却し、冷却された空気を第１のデシカントロータ６４のエレメント６４ａに接触させる。冷却された空気を第１のデシカントロータ６４のエレメント６４ａに接触させることにより空気中に含まれる水分をエレメント６４ａに吸着させ、第１のデシカントロータ６４によって絶対湿度を低下させた空気を排気（ＥＡ）として外部に排出する。更に、第４の通風路６１ｄでは、第１の送風機６２によって空調空間Ａから流通させた還気（ＲＡ）を第２の熱交換器７３によって加熱し、加熱した空気を第２のデシカントロータ６６のエレメント６６ａに接触させる。加熱した空気によってエレメント６６ａに吸着している水分を空気中に放出させ、絶対湿度を上昇させた空気を給気（ＳＡ）として空調空間Ａ内に供給する。
【００６５】
第１の通風路６１ａ内の第１のデシカントロータ６４から水分を放出させると、第１の通風路６１ａを流通する空気は水分の蒸発熱によって温度が低下する。また、第２の通風路６１ｂ内の第２のデシカントロータ６６に水分を吸着させると、第２の通風路６１ｂを流通する空気は水分の凝縮熱により温度が上昇する。これらの空気を顕熱交換器６５によって熱交換することにより第１の通風路６１ａを流通する空気は加熱されて空調空間Ａに供給される。また、第２のデシカントロータ６６によって除湿された第２の通風路６１ｂを流通する空気は外部に排出されるとともに、第３の通風路６１ｃを流通する外気に含まれる水分を第１デシカントロータ６４のエレメント６４ａに吸着させる。更に、第４の通風路６１ｄを流通する第２の熱交換器７３によって加熱された空気は相対湿度が低く、第２のデシカントロータ６６のエレメント６６ａから水分を効率的に放出させる。
【００６６】
このように、本実施形態の空気調和装置によれば、前記第１の実施形態と同様に、除湿運転時において、第１のデシカントロータ６４で除湿されることにより温度が上昇した第１の通風路６１ａを流通する空気を顕熱交換器６５によって確実に冷却することができる。また、加湿運転時においても、第１のデシカントロータ６４で加湿されることにより温度が低下した第１の通風路６１ａを流通する空気を顕熱交換器６５によって確実に加熱することができる。
【００６７】
また、第２のデシカントロータ６６によって第４の通風路６１ｄを流通する空気中の水分を吸着して第２の通風路６１ｂを流通する空気中に放出し、水分が放出された第２の通風路６１ｂを流通する空気を排気として排出するとともに、第３の通風路６１ｃに外気を流通させて第１のデシカントロータ６４に吸着した水分を放出させるようにしたので、第２のデシカントロータ６６によって水分を含んだ空気を第１のデシカントロータ６４の再生に利用することなく、別途第３の通風路６１ｃを流通する外気を第１のデシカントロータ６４の再生に利用することができ、第１のデシカントロータ６４に吸着した水分を確実に第３の通風路６１ｃを流通する空気中に放出させてエレメント６４ａを再生することができる。
【００６８】
また、第４の通風路を流通する空調空間Ａの空気を第２の熱交換器によって冷却し、空気中に含まれる水分を第２のデシカントロータ６６に吸着させて空調空間Ａに供給するようにしたので、第２のデシカントロータ６６によって除湿した空気を空調空間Ａに供給することができ、空調空間Ａの空気をより確実に除湿することができる。
【００６９】
また、第１の通風路６１ａに空調空間Ａの空気と外気を流通するとともに、第２の通風路６１ｂに外気と空調空間Ａの空気を流通するようにしたので、第１のデシカントロータ６４によって除湿されるとともに、顕熱交換器６５によって冷却された外気によって空調空間Ａの換気を行うことができ、絶対湿度を低下させるとともに、空調負荷の増加を防止することができる。
【図面の簡単な説明】
【００７０】
【図１】本発明の第１の実施形態を示す空気調和装置の概略図
【図２】空気の状態を示す空気線図
【図３】本発明の第２の実施形態を示す空気調和装置の概略図
【図４】本発明の第３の実施形態を示す空気調和装置の概略図
【図５】第３の実施形態のその他の例を示す空気調和装置の概略図
【図６】本発明の第４の実施形態を示す空気調和装置の概略図
【図７】本発明の第５の実施形態の除湿運転を示す空気調和装置の概略図
【図８】加湿運転を示す空気調和装置の概略図
【図９】従来の空気調和装置の空気の状態を示す空気線図
【符号の説明】
【００７１】
１１…装置本体、１１ａ…第１の通風路、１１ｂ…第２の通風路、１１ｃ…第３の通風路、１５…第１のデシカントロータ、１６…顕熱交換器、１７…第２のデシカントロータ、１８…熱源、２１…装置本体、２１ａ…第１の通風路、２１ｂ…第２の通風路、２１ｃ…第３の通風路、２１ｄ…第４の通風路、２２…第４の送風機、２３…第３のデシカントロータ、２４…第２の熱源、３１…装置本体、３１ａ…第１の通風路、３１ｂ…第２の通風路、３１ｃ…第３の通風路、４０…冷媒回路、４１…蒸発器、４２…凝縮器、４３…圧縮機、５１…装置本体、５１ａ…第１の通風路、５１ｂ…第２の通風路、５１ｃ…第３の通風路、５１ｄ…第４の通風路、５６…第１のデシカントロータ、５７…顕熱交換器、５８…第２のデシカントロータ、５９…熱源、６１…装置本体、６１ａ…第１の通風路、６１ｂ…第２の通風路、６１ｃ…第３の通風路、６１ｄ…第４の通風路、６４…第１のデシカントロータ、６５…顕熱交換器、６６…第２のデシカントロータ、７０…冷媒回路、７１…圧縮機、７２…第１の熱交換器、７３…第２の熱交換器、Ａ…空調空間、Ｂ…空調空間。
【図１】
2006071168.tif 000003
【図２】
2006071168.tif 000004
【図３】
2006071168.tif 000005
【図４】
2006071168.tif 000006
【図５】
2006071168.tif 000007
【図６】
2006071168.tif 000008
【図７】
2006071168.tif 000009
【図８】
2006071168.tif 000010
【図９】
2006071168.tif 000011